(57)【要約】  【課題】軒下から屋根上まで敷設される散水管の外観性が優れて建物の品質性が向上する屋根上散水配管構造を提供する。  【解決手段】建物の屋根２４に屋根上散水管２５を用いて散水する散水配管構造である。軒樋２７は略垂直の前面２７ａと後面２７ｂと略水平の底面２７ｃとから成り、軒樋２７の一端部Ｐ側の底面２７ｃに孔２９が形成され、孔２９に対応して貫通継手４０が設けられる。貫通継手４０は底面２７ｃの上面に取付けられる第一フランジ４１に短管４２を立設して成る第一継手４３と、底面２７ｃの下面に取付けられる第二フランジ４５に上下に突出する連通管４６を備えて成る第二継手４７とで形成される。第二継手４７の連通管４６が底面２７ｃの孔２９を貫通して第一継手４３の短管４２に嵌入することによって第一継手４３と第二継手４７が固着される。散水管２３は貫通継手４０を介して軒樋２７の底面２７ｃを容易に貫通できる。【選択図】  図２
2009203610.tif 000002
【特許請求の範囲】
【請求項１】
建物の屋根に散水管を用いて散水する屋根上散水配管構造であって、建物の軒先に設けられる軒樋の底面に形成された孔に対応して貫通継手が設けられ、前記散水管が前記貫通継手を介して前記底面を貫通して屋根に至ることを特徴とする屋根上散水配管構造。
【請求項２】
請求項１に記載の屋根上散水配管構造であって、前記貫通継手は第一フランジに短管を立設して成る第一継手と、第二フランジに上下に突出する連通管を備えて成る第二継手とで形成され、前記第二継手の連通管が前記底面の孔を貫通して前記第一継手の短管に嵌入固着されることを特徴とする屋根上散水配管構造。
【請求項３】
請求項２に記載の屋根上散水配管構造であって、前記散水管は円筒形状で、前記貫通継手から突出した前記散水管を矩形筒状の他の散水管に連結するため、下部が円筒形状で上部が矩形筒状の断面変形継手が用いられることを特徴とする屋根上散水配管構造。
【発明の詳細な説明】
【技術分野】
【０００１】
本発明は、建築物の屋根に散水するための屋根上散水配管構造に関し、詳しくは、建物下部から屋根上まで敷設される散水管の外観性が優れて建物の品質性が向上する屋根上散水配管構造に関する。
【背景技術】
【０００２】
従来、建築物の屋根上に積もった雪の除雪作業を頻繁に実施しないと雪の重みによって建築物が損傷するという問題があった。
【０００３】
この問題を解決する方法が特許文献１に開示されている。図６に示すように、特許文献１の屋根上散水配管構造は、貯水槽１に設けた揚水ポンプＰ１によってボイラーＮに送水され加温された温水が送水ポンプＰ２から散水管４によって屋根Ｒ上に送られ、屋根Ｒ上に敷設された散水管２から屋根Ｒ上に散水される。
【０００４】
この散水によって雪が溶けて、融雪水は軒樋６、竪樋７を経て再び貯水槽１に戻るように循環する方式が採用されている。貯水槽１には溢水パイプが設けられるので溢れた水は沈澱桝１２を通過して側溝１３に排出される。
【０００５】
このように、屋根上散水配管構造は、建築物の屋根Ｒ上に積もった雪の除去作業を自動的に実施できるので雪の重みによって建築物が損傷することを防止できる。
【特許文献１】登録実用新案第３１２７６８８号公報
【発明の開示】
【発明が解決しようとする課題】
【０００６】
ところが、この屋根上散水配管構造では、散水管４が軒下から屋根Ｒ上まで軒樋６の外側を横切って敷設されるので、散水管の外観性が損なわれるため建物の品質性が劣るという問題があった。
【０００７】
そこで、本発明はかかる従来技術の問題に鑑みなされたものであって、軒下から屋根上まで敷設される散水管の外観性が優れて建物の品質性が向上する屋根上散水配管構造を提供することを目的とする。
【課題を解決するための手段】
【０００８】
請求項１の発明は、建物の屋根に散水管を用いて散水する屋根上散水配管構造であって、建物の軒先に設けられる軒樋の底面に形成された孔に対応して貫通継手が設けられ、前記散水管が前記貫通継手を介して前記底面を貫通して屋根に至ることを特徴としている。
【０００９】
請求項２の発明は、請求項１に記載の屋根上散水配管構造であって、前記貫通継手は第一フランジに短管を立設して成る第一継手と、第二フランジに上下に突出する連通管を備えて成る第二継手とで形成され、前記第二継手の連通管が前記底面の孔を貫通して前記第一継手の短管に嵌入固着されることを特徴としている。
【００１０】
請求項３の発明は、請求項２に記載の屋根上散水配管構造であって、前記散水管は円筒形状で、前記貫通継手から突出した前記散水管を矩形筒状の他の散水管に連結するため、下部が円筒形状で上部が矩形筒状の断面変形継手が用いられることを特徴としている。
【発明の効果】
【００１１】
請求項１の発明によれば、建物の軒先に設けられる軒樋の底面に形成された孔に対応して貫通継手が設けられ、前記散水管が前記貫通継手を介して前記底面を貫通して屋根に至るので、散水管が軒下から屋根上まで軒樋の外側を横切らずに敷設されるので散水管の外観性が損なわれないため建物の品質性が向上する。
【００１２】
請求項２の発明によれば、前記貫通継手は第一フランジに短管を立設して成る第一継手と、第二フランジに上下に突出する連通管を備えて成る第二継手とで形成され、前記第二継手の連通管が前記底面の孔を貫通して前記第一継手の短管に嵌入固着されるので、前記貫通継手によって散水管が保持されて軒下から屋根上まで容易に安定して貫通できて、請求項１の効果と同様の効果が得られる。
【００１３】
請求項３の発明によれば、前記散水管は円筒形状で、前記貫通継手から突出した前記散水管を矩形筒状の他の散水管に連結するために下部が円筒形状で上部が矩形筒状の断面変形継手が用いられるので、前記散水管は断面変形継手によって円筒形状を矩形筒状に替えて屋根の上に配置できるため、請求項１の発明の効果に加えて屋根上の散水管の断面形状が選択できるので商品価値を向上することができる。
【発明を実施するための最良の形態】
【００１４】
＜屋根上散水配管構造の構成＞
以下に、本発明の実施形態を図１〜図５に基づいて説明する。
【００１５】
本発明の屋根上散水配管構造２１は地上から屋根２４に至る散水管２３の軒樋２７近傍における配管構造である。
【００１６】
図１に示すように、散水の方法は循環式で、貯水槽２２に貯められている水が図示しないヒーターで温められて温水となり、温水は図示しない揚水ポンプで散水管２３により軒樋２７の一端部Ｐ側から屋根２４上まで送られ、屋根２４上に敷設された屋根上散水管２５のノズル２５ａから屋根２４上に積もった雪２４ａに散水される。
【００１７】
散水された温水と融雪水は軒樋２７の他端部Ｑ側の底面２７ｃに連結された竪樋２８を経て貯水槽２２に戻るとともに、貯水槽２２からオーバーフローする水は排水管２２ａから排出される。
【００１８】
図２、図３、図４に示すように、軒樋２７は断面凹形状で略垂直の前面２７ａと後面２７ｂと略水平の底面２７ｃとから成り、前面２７ａの先端に前耳２７ｄと後面２７ｂの先端に後耳２７ｅを備える。軒樋２７はこの前耳２７ｄと後耳２７ｅを介して建物の軒先の鼻板２６に固着された図示しない軒樋吊金具によって吊下げられる。
【００１９】
軒樋２７の一端部Ｐ側の底面２７ｃに形成された孔２９に対応して貫通継手４０が設けられる。散水管２３はこの貫通継手４０を介して軒樋２７を貫通する。
【００２０】
貫通継手４０は底面２７ｃの上面に取付けられる第一フランジ４１に短管４２を立設して成る第一継手４３と、底面２７ｃの下面に取付けられる第二フランジ４５に上下に突出する連通管４６を備えて成る第二継手４７とで形成される。
【００２１】
第二継手４７の連通管４６が底面２７ｃの孔２９を貫通して第一継手４３の短管４２に嵌入することによって第一フランジ４１と第二フランジ４５が底面２７ｃを挟持した状態で第一継手４３と第二継手４７が固着される。なお、連通管４６の上方部４６ａには円周上に複数の溝４６ｂが形成され、溝４６ｂは上方部４６ａが短管４２に固着する際に用いられる接着剤のための溜部である。
【００２２】
貫通継手４０の上方にエルボ材３３（内径＝Ｔ２）が設けられ、エルボ材３３の下部は垂直で上部が垂直軸から角度βで建物から離れる方向に傾斜する。散水管２３（外径＝Ｔ２）の上端部がエルボ材３３の下部に嵌合して連結される。
【００２３】
ここで、屋根２４上に敷設される屋根上散水管２５は矩形筒状（幅＝Ｋ１、高さ＝Ｋ２）で、この屋根上散水管２５が直角エルボ材２５ｂを介して屋根２４から他の短い散水管２５ｃ（幅＝Ｋ１、高さ＝Ｋ２）で下垂される。そして、短い散水管２５ｃはエルボ材３３の上部に連結された断面変形継手３５を介してエルボ材３３に連結される。
【００２４】
図５に示すように、断面変形継手３５は、エルボ材３３（内径＝Ｔ２）に挿入される下部３５ａが円筒状（外径＝Ｔ２）で、上部３５ｂが矩形筒状の屋根上散水管２５を挿入するように開口寸法が長幅＝Ｋ１、短幅＝Ｋ２の矩形筒状に連続形成される。
【００２５】
屋根上散水配管構造２１の各部材の材質は、ステンレスや亜鉛メッキをした金属、あるいは軽量化や耐腐食性を考慮して例えば硬質塩化ビニール樹脂等の合成樹脂材料で形成される。各部材間の接続は溶接又は接着剤を用いて水密的に固着される。
【００２６】
＜屋根上散水配管構造の作用＞
散水管２３が貫通継手４０を介して軒樋２７の底面２７ｃを貫通し、散水管２３が軒樋２７の外側に露出しないので外観性が損なわれないため建物の品質性が向上する。
【００２７】
以上、本発明の実施例を図面に基づいて説明したが、具体的な構成はこの実施例に限られるものではなく本発明の要旨を逸脱しない範囲の設計変更等があっても本発明に含まれる。
【００２８】
例えば、散水管２３と竪樋２８を軒樋２７の同じ端部側に隣接して取付けると、建物の外壁に設けられる散水管２３と竪樋２８が一箇所に纏まるので外観性が向上して建物の品質性がさらに向上する。エルボ材３３と断面変形継手３５の形状は連結する散水管２３、２５ｃの断面形状に対応して矩形断面や大きさの異なる断面形状に形成される。
【００２９】
貫通継手４０は底面２７ｃの上面に第二継手４７、底面２７ｃの下面に第一継手４３を配置してもよい。また、本実施例の屋根上に水を散水する構成は真夏における建物の冷却用としても使用できるが、その際には貯水槽２２に貯められている水用のヒーターは不要である。
【図面の簡単な説明】
【００３０】
【図１】本発明の実施形態における、屋根上散水配管構造２１を用いて建物の屋根２４上に送られる散水管２３の配置状態を示す斜視図である。
【図２】本発明の実施形態における、図１のＡ−詳細側面図である。
【図３】本発明の実施形態における、図２のＢ−Ｂ矢視図である。
【図４】本発明の実施形態における、第一継手４３と第二継手４７から成る貫通継手４０の構成を示す斜視図である。
【図５】本発明の実施形態における、エルボ材３３と短い散水管２５ｃを連結するための断面変形継手３５の斜視図である。
【図６】従来の屋根上散水配管構造で、貯水槽１に設けた揚水ポンプＰ１によってボイラーＮに送水されて加温された温水が、送水ポンプＰ２により散水管４によって屋根Ｒ上に送られ散水管２から散水される状態を示す斜視図である。
【符号の説明】
【００３１】
２４  屋根
２５  屋根上散水管
２７  軒樋
２７ａ  前面
２７ｂ  後面
２７ｃ  底面
２９  孔
４０  貫通継手
４１  第一フランジ
４２  短管
４３  第一継手
４５  第二フランジ
４６  連通管
４７  第二継手
【図１】
2009203610.tif 000003
【図２】
2009203610.tif 000004
【図３】
2009203610.tif 000005
【図４】
2009203610.tif 000006
【図５】
2009203610.tif 000007
【図６】
2009203610.tif 000008